(57)【要約】【課題】  工具なしで簡単に組み立てられるとともに、使用時において不測に変形したりすることなく使用できるようなペット用柵の提供。【解決手段】  複数枚の柵体１２…が端部に取付けられた連結部材２４…同士の連結で連結されて形成されるペット用柵１１であって、上記連結部材２４…が、連結される他の連結部材２４との間で相互に重合する突片部３２と、該突片部３２の一部に形成され、連結される他の連結部材２４の対向面３６に対して当接する当接面３７と、該当接面３７が対向面３６に当接した連結状態において該連結状態を保持する連結ピン１３を挿入するための挿入孔３９〜４１，６１〜６５とを有するペット用柵１１。【選択図】    図２
2006271215.tif 000002
【特許請求の範囲】
【請求項１】
複数枚の柵体が端部に取付けられた連結部材同士の連結で連結されて形成されるペット用柵であって、
上記連結部材が、連結される他の連結部材との間で相互に重合する突片部と、
該突片部の一部に形成され、連結される他の連結部材の対向面に対して当接する当接面と、
該当接面が対向面に当接した連結状態において該連結状態を保持する連結ピンを挿入するための挿入孔とを有する
ペット用柵。
【請求項２】
前記連結ピンが、挿通孔によって抜け止めされる抜け止め段部を有する
請求項１に記載のペット用柵。
【請求項３】
前記連結ピンが、その下端部に、前記挿入孔を通過可能な規制段部を有し、
前記突片部には、少なくとも一つの挿入孔が形成され、
これら挿入孔のうち、連結時に連結ピンの挿入方向後方側に位置する突片部における連結ピンの挿入方向前方側に形成された挿入孔が、連結ピンの圧入時に規制段部の通過を許容する大きさに形成された
請求項１または請求項２に記載のペット用柵。
【請求項４】
前記連結部材の突片部が、相互に連結される連結部材同士の間において、または連結時に上下方向で対向する連結部材同士とこれらに連結される他の連結部材との間において、挟持するまたは挟持される位置関係になるように形成された
請求項１から請求項３のうちのいずれか一項に記載のペット用柵。
【請求項５】
前記柵体が、上下両端に配置された横木部材と、これら横木部材間に取付けられる網状部材とを有し、
前記連結部材が、上記横木部材の両端部に取付けられる
請求項１から請求項４のうちのいずれか一項に記載のペット用柵。
【発明の詳細な説明】
【技術分野】
【０００１】
この発明は、ペットを収容しておくためのペット用柵に関し、より詳しくは、購入者が工具なしで簡単に組み立てられるようなペット用柵に関する。
【背景技術】
【０００２】
ペット用柵は、複数枚の柵体が連結されて形成される囲いである。そのまま単独で接地して使用されるほか、底部材と天井部材を組み付けてケージとして使用される。
【０００３】
そして、上記柵体の連結は、柵体の左右両側縁同士の間で行われるが、その構造には、柵体を構成する縦棒同士を専用の連結具で連結する構造と、柵体の上下両端を構成する横木部材の左右両端同士を連結する構造がある。
【０００４】
後者の例としては、下記特許文献１に開示されたフェンスが提案されている。
【０００５】
このフェンスは、上側フレームと下側フレームとの間に網体が支持されてなるものであって、下側フレームの端部には上に向けて突出する下部ピンが設けられ、上側フレームにおける上記下部ピンに対応する部位には貫通孔が形成されて、上部ピンが抜き取り可能に差し込まれる。組み立てに当たっては、隣接するフェンス間にまたがるように配置される連結用部材（襠付支柱）の下端を上記下部ピンに差し込んで、上端に設けた上側凹部に、上側フレームの貫通孔を通して上部ピンを差し込んで、折り畳み可能に一体化するものである。
【０００６】
この構成のフェンスでは、家庭において工具なしで組み立てることができるものの、フェンスの連結には、連結用部材のほか、連結部分一箇所に２本ずつの上部ピンが必要であり、部品点数が多い。このため、部品の管理や組み立て作業が面倒である。
【０００７】
また、上部ピンを差し込むだけで組み立て状態を保持するものであるので、組み立てた状態のまま移動するときなどには、上部ピンが抜けないように注意しなければならず、折り畳み可能ではあるものの、移動には適さない。
【０００８】
このほか、下記特許文献２のペット用柵が提案されている。
【０００９】
このペット用柵は、上横枠と下横枠とこれらの間に張られた複数本の縦桟からなる格子体を、上横枠と下横枠の端部にそれぞれ固定された回動駒と、これらを回動可能に連結する軸螺杆およびナットで構成されるヒンジで連結するものである。
【００１０】
しかし、各ヒンジ部の連結において工具が必要であり、組み立て作業は面倒である。また、上横枠と下横枠との間に縦桟を一本ずつ取付けているため、ヒンジを構成する部位には、比較的大きな隙間ができ、外観を害するほか、収容するペットの種類や大きさにもよるが柵として充分な機能を果たせないおそれもあった。
【００１１】
そして、そもそも、上記特許文献１も特許文献２も、折り畳み式であり、各柵体（フェンス、格子体）の角度を保持する機能がない。すなわち、回動自在である。このため、単独で接地する場合には何らかの角度保持手段がなければ、収容したペットが暴れて柵体に当たることでペット用柵（組立フェンス）が変形してしまうおそれがある。
【００１２】
また、底板部材等と組み合わせて使用する場合でも、上記特許文献２のように、底板部材（底板）にペット用柵の柵体（格子体）の角度を保持する機能がないときには、別途に角度保持手段を備えなければ、同様の問題が生じる。
【００１３】
【特許文献１】特許第３５０２６３２号公報
【特許文献２】登録実用新案第３０１３２２７号公報
【発明の開示】
【発明が解決しようとする課題】
【００１４】
そこで、この発明は、工具なしで簡単に組み立てられるとともに、別途に手段を講じずとも、使用時において不測に変形したりすることなく使用できるようにすることを主たる課題とする。
【課題を解決するための手段】
【００１５】
そのための手段は、複数枚の柵体が端部に取付けられた連結部材同士の連結で連結されて形成されるペット用柵であって、上記連結部材が、連結される他の連結部材との間で相互に重合する突片部と、該突片部の一部に形成され、連結される他の連結部材の対向面に対して当接する当接面と、該当接面が対向面に当接した連結状態において該連結状態を保持する連結ピンを挿入するための挿入孔とを有するペット用柵である。
【００１６】
すなわち、複数枚の柵体を連結する連結部材は、突片部と、当接面と、挿入孔とを有しているので、連結に際しては、突片部同士を重合するとともに、当接面を対向する対向面に当接する。すると、当接面と対向面との当接によって連結される連結部材同士の角度は一定に保持される。この状態で、挿入孔に対して連結ピンを挿入すると、連結が完了する。
【００１７】
このように、連結部材同士を所定の位置関係に組み合わせてから連結ピンを挿入すれば、連結部材同士が所定の角度に連結される構成である。このため、組み立てが簡単であるとともに、柵体を連結する連結部材同士の角度が自動的に一定に保持されるので、収容したペットが暴れても変形したりしない堅固なペット用柵となる。
【００１８】
ところで、上記各構成要素については、次のように構成することができる。
【００１９】
上記連結ピンは、挿通孔によって抜け止めされる抜け止め段部を有するものであるとよい。
【００２０】
抜け止め段部が連結ピンの挿入状態を保持するので、ナットなどの部材が不要で部品点数を低減できるとともに、挿入するだけでよいので組み立て作業が簡単である。
【００２１】
上記連結ピンは、その下端部に、前記挿入孔を通過可能な規制段部を有し、上記突片部には、少なくとも一つの挿入孔が形成され、これら挿入孔のうち、連結時に連結ピンの挿入方向後方側に位置する突片部における連結ピンの挿入方向前方側に形成された挿入孔が、連結ピンの圧入時に規制段部の通過を許容する大きさに形成されたものであるとよい。
【００２２】
連結ピンを挿入するときに、連結ピンの挿入方向後方側に位置する突片部における連結ピンの挿入方向前方側に形成された挿入孔が、圧入されない連結ピンの規制段部の通過を阻止するので、連結ピンの先端（下端）が突片部から下に突出することを防止できる。このため、連結ピンを突片部に刺した状態でも突片部同士を重合して位置合せすることができ、連結する柵体を所定とおりに組み合わせてから連結を行うことが可能である。つまり、組み立て作業時における部材の扱いが容易であって、組み立て作業の簡単化に資する。
【００２３】
なお、この規制段部は、上記抜け止め段部と共通であるもよい。
【００２４】
上記連結部材の突片部は、相互に連結される連結部材同士の間において、または連結時に上下方向で対向する連結部材同士とこれらに連結される他の連結部材との間において、挟持するまたは挟持される位置関係になるように形成されたものであるとよい。
【００２５】
互いに連結される連結部材同士、または連結時に上下方向で対向する連結部材同士とこれらに連結される連結部材の間で、突片部が、挟みまたは挟まれる位置関係にあるので、たとえば、ある一つの連結部材に持ち上げられる力が作用した場合に、その連結部材と直接的あるいは間接的に連結される他の連結部材にも、持ち上げられる力が突片部を介して伝達される。このため、突片部の位置関係がそのようになっていない場合に比して、連結ピンに集中荷重が掛かるのを抑えることができる。この結果、収容したペットが暴れた時やペット用柵の移動時などに、連結部材やその一部に掛かる負荷を低減して、強度を高めることができる。
【００２６】
上記柵体は、上下両端に配置された横木部材と、これら横木部材間に取付けられる網状部材とを有し、上記連結部材が、上記横木部材の両端部に取付けられるものであるとよい。
【００２７】
横木部材を有した堅牢な柵体を強固に連結することができるとともに、柵体の網状部材を、連結部材に対応する位置まで張り出す大きさに形成することで、たとえば四隅部分など、連結部材位置にできる隙間を小さくして、柵として所期の目的を充分に果たせるペット用柵を得ることができる。
【発明の効果】
【００２８】
以上のように、この発明によれば、連結部材同士の連結は、工具なしで簡単に行えるとともに、連結部材同士、すなわち柵体同士の角度を一定の角度に保持することができる。このため、組み立てが簡単な上に、外力に対して強いペット用柵を得られる。
【発明を実施するための最良の形態】
【００２９】
この発明を実施するための一形態を、以下図面を用いて説明する。  
図１は、ペット用柵１１の斜視図であり、図２は、その分解斜視図である。
【００３０】
すなわち、ペット用柵１１は、平面視長方形枠状をなす囲いで、４枚の柵体１２…を連結ピン１３の挿入で連結して構成される。
【００３１】
図１中、１４は、ペット用柵１１内に収まる大きさの長方形皿状のトレーで、ペット用柵１１内に置いて使用される。もちろん、ペット用柵１１は、このトレー１４なしに単独で使用することもできる。
【００３２】
上記柵体１２…は、上下両端に配置された横木部材（上側横木部材２１、下側横木部材２２）と、これらの間に取付けられる網状部材２３と、上記上側横木部材２１および下側横木部材２２の両端部に取付けられる連結部材２４（２４ａ，２４ｂ，２４ｃ，２４ｄ）とからなる。
【００３３】
上側横木部材２１と下側横木部材２２は、縦断面長方形をなす木製の角材で形成される。木質以外の材料で形成するもよい。
【００３４】
各横木部材２１，２２の両端部には、図３、図４に示したように、連結部材２４を嵌めるための被嵌合部２１ａ，２２ａが形成され、その中間位置には、上下方向に貫通する取付け孔２５が形成される。取付け孔２５は、上側の大径部２５ａと下側の小径部２５ｂとに分かれ、大径部２５ａは、ナット２６を収容できる大きさである。なお、図３は、正面から見た左上角部分の分解斜視図で、図４は、図１のＡ−Ａ線矢視断面図である。
【００３５】
このナット２６は、網状部材２３を止めつけるためのものであって、上記小径部２５ｂは網状部材２３の取付け軸部２７を挿通可能な大きさに設定される。
【００３６】
上側横木部材２１も下側横木部材２２も以上の各構成については同一であるが、被嵌合部２１ａ，２２ａ間の部位については若干構成を異にする。
【００３７】
すなわち、上側横木部材２１におていは下面に、下側横木部材２２においては上面に、取付ける網状部材２３の対向面を受ける受け面２１ｂ，２２ｂが、被嵌合部２１ａ，２２ａより突出して形成される。
【００３８】
上記網状部材２３は、金属製の線状材からなり、長方形枠状の枠部２３ａ内に、線状体２３ｂを縦横に張って形成される。そして、左右両側位置には、上下両端が上記枠部２３ａから上下に突出する長さの取付け軸体２３ｃが固定される。突出している部分が上記取付け軸部２７であり、この取付け軸部２７に、上記ナット２６が螺合する雄ねじ２７ａが形成されている。
【００３９】
なお、網状部材２３の大きさは、枠部２３ａの左右両側縁が、上記取付け軸体２３ｃよりも外側に張り出すように設定される。このような大きさに形成することで、たとえば四隅部分など、連結部材２４位置にできる隙間を小さくして、ペットが抜け出したりすることのない、柵として所期の目的を充分に果たせるペット用柵１１とすることができるようになる。
【００４０】
上記各横木部材２１，２２と網状部材２３はあらかじめ互いに連結固定され、一体化される。
【００４１】
上記連結部材２４は、合成樹脂で形成され、各横木部材２１，２２の被嵌合部２１ａ，２２ａに嵌合可能な中空箱状の嵌合部３１と、該嵌合部３１の端面から突出する突片部３２とを有する。
【００４２】
嵌合部３１は、図３、図４に示したように、その下面に、上記取付け軸部の相対的な浸入を許容するぬすみ溝３３が形成されるとともに、内側面３１ａには、嵌合部３１を被嵌合部２１ａ，２２ａに嵌合した時の嵌合状態を保持するために螺合するねじ部材３４を挿入するための透孔３５が形成される。
【００４３】
上記突片部３２は、上記嵌合部３３と同様に中空箱状に形成されるが、その厚み（高さ）が、嵌合部３１のそれよりも薄く設定される。
【００４４】
すなわち、この突片部３２は、連結される他の連結部材２４との間で相互に重合するものであり、突片部３２同士が重合したときにその厚み（高さ）が嵌合部３１の厚み（高さ）内に収まるように設定されている。より詳しくは、この例においては、嵌合部３１の厚みよりも若干薄くなるように設定される。
【００４５】
また、突片部３２は、その一部に、連結される他の連結部材２４の対向面３６に対して当接して、連結部材２４同士の角度を直角に保つ当接面３７を有する。すなわち、突片部３２の内側面が当接面３７であり、これは上記嵌合部３１の内側面３１ａと面一に形成されている。
【００４６】
図３に示したように、突片部３２を上側に有する連結部材２４（第１連結部材２４ａ）と、突片部３２を下側に有する連結部材２４（第２連結部材２４ｂ）とを、かみ合わせるようにその突片部３２同士を上下に重合した場合には、第１連結部材２４ａの当接面３７が、第２連結部材２４ｂの突片部３２のない部分の端面である対向面３６に当接し、第２連結部材２４ｂの当接面３７が、第１連結部材２４ａの突片部３２のない部分の下側の端面である対向面３６に当接する。
【００４７】
なお、上記第１連結部材２４ａの嵌合部３１において、突片部３２のない部分の上側の端面３８は、挿入する連結ピン１３の突出を防止するための収容空間を得るためのものである。
【００４８】
そして、上記第１連結部材２４ａの場合には、突片部３２の上面と下面とに同径の挿入孔３９，４０が形成され、第２連結部材２４ｂの場合には、突片部３２の上面に、上記挿入孔３９，４０と同径の挿入孔４１が形成される。
【００４９】
第１連結部材２４ａの突片部３２も第２連結部材２４ｂの突起片部３２も、その厚み（高さ）方向の中間位置にリブ４２が形成され、上記挿入孔３９，４０，４１より大径の溝部４２ａが形成されている。この溝部４２ａの径は、連結ピン１３の円滑な通過を確保する大きさに設定される。
【００５０】
なお、図１に例示した形状のペット用柵１１の場合には、４種類の連結部材２４（２４ａ，２４ｂ，２４ｃ，２４ｄ）が使用される。すなわち、上記第１連結部材２４ａ、第２連結部材２４ｂのほかに、第３連結部材２４ｃ、第４連結部材２４ｄが用いられる。図１、図２、図５（ａ）に示したように、第１連結部材２４ａは柵体１２に向かって右上角に取付けられるもので、第２連結部材２４ｂは柵体１２に向かって左上角に、第３連結部材２４ｃは柵体１２に向かって左下角に、第４連結部材２４ｄは柵体１２に向かって右下角に取付けられるものである。
【００５１】
そして上記第３連結部材２４ｃは、第１連結部材２４ａと、第４連結部材２４ｄは第２連結部材２４ｂと方向性が異なる形状である。つまり、嵌合部３１と突片部３２との配置を異にする形状である。
【００５２】
このような４種類の連結部材２４（２４ａ，２４ｂ，２４ｃ，２４ｄ）を上述の如く、すなわち、連結部材２４の突片部３２が、連結時に上下方向で対向する他の連結部材２４同士とこれらに連結される他の連結部材２４との間において、挟持するまたは挟持される位置関係になるように配設すると、各柵体１２同士の関係において、上下方向に相対向する連結部材同士（第１連結部材２４ａと第４連結部材２４ｄ、第２連結部材２４ｂと第３連結部材２４ｃ）が、これらに連結されている連結部材（第２連結部材２４ｂと第３連結部材２４ｃ、２４ａと第４連結部材２４ｄ）の突片部３２を上下に挟持し、また挟持される関係になる。なお、この例においては、柵体１２の左右両側で突片部３２の位置を異ならせたが、図５（ｂ）に示したように、柵体１２の左右両側で突片部３２の位置が同一となる位置関係に配設されるものであるもよい。
【００５３】
上記連結ピン１３は、合成樹脂製で、上端部に、鍔状の頭部５１と、該頭部５１を支え上記突片部３２の上面に接触する座部５２とを有する。これら頭部５１と座部５２の厚さは、上記収容空間に収まる厚さである。
【００５４】
そして、上記座部５２の下には、上記挿入孔３９，４０，４１を通過可能な太さの軸部５３が形成されている。この軸部５３の長さは、挿入したときに、その先端が図４に示したように下側に位置する突片部３２の内底面に近づく長さであり、先端がわに割り溝５４が形成されている。そして下端部（先端部）には、下側のテーパ面５５を介して規制段部５６が、またその上方における所定間隔へだてた位置には抜け止め段部５７が形成されている。
【００５５】
規制段部５６も抜け止め段部５７も同径に形成され、その大きさは、連結ピン１３を圧入した時に挿入孔３９，４０，４１に対する通過が許容される大きさである。つまり、圧入しない時、単に挿入しようとしたときには通過せずに止まる大きさである。
【００５６】
また、上記抜け止め段部５７の形成位置は、図４に示したように、下側に位置する突片部３２の上面に形成した挿入孔４１を通過して、該挿入孔４１で抜け止めされたときに、連結ピン１３の先端を突片部３２の内底面に近い位置させるとともに、座部５２を上側に位置する突片部３２の上面に接触させる位置に設定される。
【００５７】
このような連結ピン１３は、図示した形状のペット用柵１１の場合には、四隅の上下に１本ずつの合計８本が必要である。
【００５８】
そして、上記のような連結ピン１３と突片部３２を有するので、連結部材２４同士の連結は、次のように行われる。
【００５９】
まず、図６（ａ）に示したように、連結ピン１３を上側に位置する突片部３２の上面の挿入孔３９に挿入しておく。連結ピン１３の規制段部５６と抜け止め段部５７は割り溝５４の存在により、弾性変形して、挿入孔３９，４０，４１を通過し得る。このとき、規制段部５６と抜け止め段部５７は、突片部３２内に位置し、連結ピン１３の規制段部５６は、突片部３２の下面の挿入孔４０で受け止められる。つまり、連結ピン１３の下端は、突片部３２の下に突出しない。
【００６０】
各連結部材２４に対してこのように連結ピン１３を挿入してから、柵体１２を順次組み合わせ、各連結部材の突片部３２同士を重合させる。そしてこの状態で、連結ピン１３をたたいて圧入すると、図６（ｂ）に示したように、連結ピン１３の規制段部５６は、下側に位置する突片部３２の挿入孔４１に挿入される。これで一応、連結状態が得られるが、さらに連結ピン１３を叩いて、抜け止め段部５７に、下側に位置する突片部３２の挿入孔４１を通過させる。すると、図４に示したように、連結ピン１３の座部５２と下側に位置する突片部３２の上面で、上側に位置する突片部３２を挟み込むような状態になって連結が完了する。
【００６１】
このように、連結ピン１３の先端（下端）が突片部３２から下に突出することを防止して、段階的に挿入作業を行うので、連結ピン１３を突片部３２に刺した状態でも突片部３２同士を重合させた状態に容易に位置合せすることができる。つまり、突片部３２に連結ピン１３を一体にしてさらに部品点数を低減したのち、連結する柵体１２を所定とおりに組み合わせてから連結を行うことが可能であって、組み立て作業時における部材の扱いが容易である。
【００６２】
また、上記連結ピン１３の抜け止めは、規制段部５６で行うもよいが、抜け止め段部５７を設けてこれによって行って、連結ピン１３の先端位置と抜け止め位置との距離を取るようにしているので、抜け止め段部５７の近傍に掛かる負荷に対する耐力を増加させて、連結強度を確保することができる。
【００６３】
以上のように、このペット用柵１１は、４枚の柵体１２…とこれらを連結する合計８本の連結ピン１３…とからなり、連結ピン１３…を差し込むだけで連結作業が、つまり組み立て作業ができる。
【００６４】
このため、組み立て前の状態で販売されたペット用柵１１を顧客が家に持ち帰ってからの組み立てが、工具なしで極めて簡単に行える。しかも、部品点数が少ないので、管理が容易であり、取り扱いに便利である。
【００６５】
そして、組み立てられたペット用柵１１は、全ての連結部分が一定の角度に保持されるので、ペット用柵１１を単独で使用した場合でも、移動などの取り扱いが容易であり、さらに収容したペットが暴れたり、人や物がぶつかったりした場合でも、ペット用柵の形態を保持することができる堅固なものとなる。
【００６６】
また、４種類の連結部材２４（２４ａ，２４ｂ，２４ｃ，２４ｄ）を使用して、上述したように組み合わせるので、組み立てた状態において、各連結部材２４ａ，２４ｂ，２４ｃ，２４ｄの突片部３２が、連結時に上下方向で対向する連結部材同士（第１連結部材２４ａと第４連結部材２４ｄ、第２連結部材２４ｂと第３連結部材２４ｃ）とこれらに連結される他の連結部材（第２連結部材２４ｂと第３連結部材２４ｃ、２４ａと第４連結部材２４ｄ）との間において、挟持するまたは挟持される位置関係になるので、たとえば、ある一つの柵体１２を持ち上げた場合に、その柵体１２に連結された他の柵体１２に対しても、連結部材２４の突片部３２を介して、持ち上げられる力が伝達される。このため、突片部３２の位置関係がそのようになっていない場合に比して、連結ピン１３に集中荷重が掛かるのを抑えることができ、荷重を分散できる。この結果、収容したペットが暴れた時やペット用柵の移動時など、連結部分に外力がかかるときに、特定の連結部材２４やその一部に掛かる負荷を低減して、強度を高めることができる。
【００６７】
以下、その他の形態について説明する。  
なお、上記構成と同一または同等の構成部位については、同一の符号を付してその詳しい説明を省略する。  
図７は、連結部材２４の連結部分を示す一部破断側面図であり、この図に示すように、相互に連結される連結部材２４において、一方の連結部材２４ｅの突片部３２が、他方の連結部材２４ｆの突片部３２と、挟持するまたは挟持される位置関係になるように形成されたものであるもよい。
【００６８】
すなわち、相互に連結される一方の連結部材２４ｅには２個の突片部３２，３２が形成され、他方の連結部材２４ｆには１個の突片部３２が形成されて、これら３個の突片部３２…が相互に噛合するように形成されている。この場合、一番上に位置する突片部３２の上面と下面に形成される挿入孔６１，６２と、一番下に位置する突片部３２の上面に形成される挿入孔６３と、２番目に位置する突片部３２の下面に形成される挿入孔６４とが、抜け止め段部５７および規制段部５６を圧入時に通過を許容する大きさの挿入孔であって、二番目に位置する突片部３２の上面に形成される挿入孔６５は、抜け止め段部５７および規制段部５６の通過を許容するバカ孔である。
【００６９】
このように構成すると、使用する連結部材２４の種類を低減することができる。
【００７０】
図８は、柵体１２の連結角度を９０度ではなく、１２０度にする連結部材２４の平面図であり、この図に示したように、当接面３７の角度を、嵌合部３１の内側面３１ａに対して適宜傾けることで、所望の連結角度を得ることができる。
【００７１】
また、図９は、柵体１２の連結角度を９０度と１２０度の二種類に選択できる連結部材２４の平面図である。すなわち、連結部材２４は、嵌合部３１の内側面３１ａと面一となる９０度連結用の当接面３７ａと、該当接面３７ａの先に連続して形成された１２０度連結用の当接面３７ｂとを有している。
【００７２】
このように構成された連結部材２４を用いると、必要に応じて連結角度を選定できるようになる。
【００７３】
この発明の構成と、上記一形態の構成との対応において、  
この発明における「連結時に連結ピンの挿入方向後方側に位置する突片部における連結ピンの挿入方向前方側に形成された挿入孔」は、上記一形態の挿入孔４０，６２に対応し、  
同様に、横木部材は、上側横木部材２１および下側横木部材２２に対応するも、  この発明は上記構成のみに限定されることはなく、その他の形態を採用することができる。
【００７４】
たとえば、連結部材は横木部材に対して嵌合以外の手段で取付けられるものであるもよく、その取付け位置も、柵体の高さ方向の中間位置であるもよい。また、突片部材は中空箱状ではなく板状に形成されるものであるもよい。
【図面の簡単な説明】
【００７５】
【図１】ペット用柵の斜視図。
【図２】ペット用柵の分解斜視図。
【図３】要部の分解斜視図。
【図４】図１のＡ−Ａ断面図。
【図５】連結部材の組み合わせ例を示す概略説明図。
【図６】連結ピン挿入の作用状態を示す一部破断側面図。
【図７】他の例に係る連結部材の一部破断断面図。
【図８】他の例に係る連結部材の平面図。
【図９】他の例に係る連結部材の平面図。
【符号の説明】
【００７６】
１１…ペット用柵
１２…柵体
１３…連結ピン
２１…上側横木部材
２２…下側横木部材
２３…網状部材
２４…連結部材
３２…突片部
３６…対向面
３７，３７ａ，３７ｂ…当接面
３９，４０，４１…挿入孔
５６…規制段部
５７…抜け止め段部
６１，６２，６３，６４，６５…挿入孔
【図１】
2006271215.tif 000003
【図２】
2006271215.tif 000004
【図３】
2006271215.tif 000005
【図４】
2006271215.tif 000006
【図５】
2006271215.tif 000007
【図６】
2006271215.tif 000008
【図７】
2006271215.tif 000009
【図８】
2006271215.tif 000010
【図９】
2006271215.tif 000011